(57)【要約】【課題】  ダブルローラを具えたマウスの提供。【解決手段】  パーソナルコンピュータのマウスに応用されてダブルローラを具えたマウスであり、前端部のローラと左側端部のローラで組成され、前端部のローラはマウスの下ケース前端部に設けられ、左ボタン押圧スイッチと右ボタン押圧スイッチの間に介在し、並びに前回転、後ろ回転及び上端押圧の三重スイッチがローラに設けられ、左側端部スイッチはローラ下ケース左側端部に設けられて前端部のローラと直角をなすよう配置され、並びにローラに前回転、後ろ回転及び左側端押圧の三重スイッチが設けられ、これにより右手の親指、人指し指、中指、及び薬指でマウスを掌握すると共に、８種類のスイッチ操作が可能で、マウスを移動する必要がない。【選択図】        図２
0003109671.tif 000002
【実用新案登録請求の範囲】
【請求項１】
前端部ローラと左側端部ローラで組成されたダブルローラを具えたマウスにおいて、
該前端部ローラがマウスの下ケース前端部に設けられ、左ボタン押圧スイッチと右ボタン押圧スイッチの間に介装され、並びに前回転及び後ろ回転及び上端より押圧される三重スイッチが一つのローラ上に設けられ、
該左側端部ローラがマウスの下ケースの左側端部に設けられ、前端部ローラと直角を呈するように配置され、並びに左側端部ローラに前又は上回転、後ろ又は下回転及び左側端より押圧される三重スイッチが設けられたことを特徴とする、ダブルローラを具えたマウス。
【請求項２】
請求項１記載のダブルローラを具えたマウスにおいて、マウスの下ケース内に、前端より延伸されてパーソナルコンピュータと接続される信号線が設けられ、前端部ローラと左側端部ローラが上ケース及び下ケースの側面より一部突出するよう設けられたことを特徴とする、ダブルローラを具えたマウス。
【請求項３】
請求項１記載のダブルローラを具えたマウスにおいて、前端部ローラと左側端部ローラが回転スイッチ及び押圧スイッチを具え、回転スイッチが各ローラの一側端より延伸された多角形軸の回転に反応して正確な回転信号を出力することを特徴とする、ダブルローラを具えたマウス。
【請求項４】
請求項２記載のダブルローラを具えたマウスにおいて、マウスの下ケース内に一体成形により複数の軸ホルダが設けられ、スイッチは左ボタン押圧スイッチ、右ボタン押圧スイッチ、前端部ローラ押圧スイッチ、前端部ローラ回転スイッチ、及び左側端部ローラ押圧スイッチと左側端部ローラ回転スイッチを具え、いずれも同一の回路板上に設置されたことを特徴とする、ダブルローラを具えたマウス。
【請求項５】
請求項３記載のダブルローラを具えたマウスにおいて、前端部ローラと左側端部ローラが軸ホルダに架設され、その各一側より多角形軸が延伸され、対応する回転スイッチの軸孔に挿入され、左側端部ローラ押圧スイッチは親指で押圧されるスイッチとされ、即ちその水平方向の施力方向に合わせて、垂直フレームとガイド保護板が設けられ、この押圧スイッチが下ケースと回路板上に固定されることを特徴とする、ダブルローラを具えたマウス。
【考案の詳細な説明】
【技術分野】
【０００１】
本考案はダブルローラを具えたマウスに係り、特に、パーソナルコンピュータに応用されるマウスでありダブルローラを具えた構造に関する。
【背景技術】
【０００２】
周知のマウスは前端部に二つのボタンが設けられているほか、底部にボールが設けられ、使用時には移動に障害のない平面空間がなければコンピュータを操作できず、並びにカーソルで使用者が移動させる正確な方向を表示する。
【０００３】
上述の周知のマウスの後続の改良品は、側端部ローラ或いはボタン及び前端部ローラが増設されて、ますます複雑な作業要求に対応することができる。しかしその底部に位置するボールには毛髪、紙屑及び灰塵が付着しやすく、並びに卓上空間は有限で高速でマウスを移動させるのに障害のない平面空間を確保しにくいことが欠点である。
【０００４】
上述の改良型のマウスの操作の複雑性に対応する能力を保留し、並びにマウス自身の構造の欠点を改良して、底部のボールを排除しようとするなら、ボールのＸ軸方向及びＹ軸方向の二つの制御スイッチに代わる構造が必要となり、そうでなければ現在のパーソナルコンピュータの操作要求に対応することが非常に難しくなる。
【考案の開示】
【考案が解決しようとする課題】
【０００５】
本考案は一種のダブルローラを具えたマウスを提供することを目的とし、それは、マウス前端部に位置する左ボタン及び右ボタン押圧スイッチを保留し、並びに左ボタンと右ボタンの二つの押圧スイッチ間に一組のローラを介装し、その上に置かれる中指を利用して前後方向に回転し随時クリック操作が行なえるようにしたものとする。
【０００６】
本考案はまた一種のダブルローラを具えたマウスを提供することを目的とし、それは、一側端のローラの前、後ろ回転と親指で押圧されるスイッチを具え、前端部ローラと組み合わされて周知の技術の底部ボールのＸ軸方向とＹ軸方向制御スイッチの代わりとされるほか、三次元空間を具え特殊要求の操作空間が保留されたものとする。
【課題を解決するための手段】
【０００７】
請求項１の考案は、前端部ローラと左側端部ローラで組成されたダブルローラを具えたマウスにおいて、
該前端部ローラがマウスの下ケース前端部に設けられ、左ボタン押圧スイッチと右ボタン押圧スイッチの間に介装され、並びに前回転及び後ろ回転及び上端より押圧される三重スイッチが一つのローラ上に設けられ、
該左側端部ローラがマウスの下ケースの左側端部に設けられ、前端部ローラと直角を呈するように配置され、並びに左側端部ローラに前又は上回転、後ろ又は下回転及び左側端より押圧される三重スイッチが設けられたことを特徴とする、ダブルローラを具えたマウスとしている。
請求項２の考案は、請求項１記載のダブルローラを具えたマウスにおいて、マウスの下ケース内に、前端より延伸されてパーソナルコンピュータと接続される信号線が設けられ、前端部ローラと左側端部ローラが上ケース及び下ケースの側面より一部突出するよう設けられたことを特徴とする、ダブルローラを具えたマウスとしている。
請求項３の考案は、請求項１記載のダブルローラを具えたマウスにおいて、前端部ローラと左側端部ローラが回転スイッチ及び押圧スイッチを具え、回転スイッチが各ローラの一側端より延伸された多角形軸の回転に反応して正確な回転信号を出力することを特徴とする、ダブルローラを具えたマウスとしている。
請求項４の考案は、請求項２記載のダブルローラを具えたマウスにおいて、マウスの下ケース内に一体成形により複数の軸ホルダが設けられ、スイッチは左ボタン押圧スイッチ、右ボタン押圧スイッチ、前端部ローラ押圧スイッチ、前端部ローラ回転スイッチ、及び左側端部ローラ押圧スイッチと左側端部ローラ回転スイッチを具え、いずれも同一の回路板上に設置されたことを特徴とする、ダブルローラを具えたマウスとしている。
請求項５の考案は、請求項３記載のダブルローラを具えたマウスにおいて、前端部ローラと左側端部ローラが軸ホルダに架設され、その各一側より多角形軸が延伸され、対応する回転スイッチの軸孔に挿入され、左側端部ローラ押圧スイッチは親指で押圧されるスイッチとされ、即ちその水平方向の施力方向に合わせて、垂直フレームとガイド保護板が設けられ、この押圧スイッチが下ケースと回路板上に固定されることを特徴とする、ダブルローラを具えたマウスとしている。
【考案の効果】
【０００８】
本考案は一種のダブルローラを具えたマウスを提供し、それは、マウス前端部に位置する左ボタン及び右ボタン押圧スイッチを保留し、並びに左ボタンと右ボタンの二つの押圧スイッチ間に一組のローラを介装し、その上に置かれる中指を利用して前後方向に回転し随時クリック操作が行なえる。
【０００９】
本考案はまた一種のダブルローラを具えたマウスを提供し、それは、一側端のローラの前、後ろ回転と親指で押圧されるスイッチを具え、前端部ローラと組み合わされて周知の技術の底部ボールのＸ軸方向とＹ軸方向制御スイッチの代わりとされるほか、三次元空間を具え特殊要求の操作空間が保留されている。
【考案を実施するための最良の形態】
【００１０】
図１は本考案の部分構造図であり、そのうち、マウス１０の下ケース１１内にあって、前端において信号線１２が延伸されてパーソナルコンピュータとの接続に供され、また下ケース１１内に前端部ローラ１３と左側端部ローラ１４が設けられてそれぞれ上ケース（図示せず）と下ケース１１の側面より僅かに突出している。前端部ローラ１３は左ボタン押圧スイッチ１５と右ボタン押圧スイッチ１６の間に介装されている。
【００１１】
図１に示されるように、前端部ローラ１３と左側端部ローラ１４はそれぞれ回転スイッチ１７、２７と押圧スイッチ１８、２８を具え（図２、３）、回転スイッチ１７は各ローラの一側より延伸された多角形軸１９、２９の回転に反応し、０と１の二つの数値の前後序列を以てそれが前回転か後ろ回転かを計算し、正確な回転の信号を出力し、同じ或いは類似の技術原理、例えば周知の光制御部品を応用してその正確な回転を計算することができる。
【００１２】
図２は本考案の部分部品分解図であり、そのうち、マウス１０の下ケース１１内に一体成形により複数の軸ホルダ２０が設けられ、スイッチは左ボタン押圧スイッチ１５、右ボタン押圧スイッチ１６、前端部ローラ１３押圧スイッチ１８、前端部ローラ１３回転スイッチ１７、及び左側端部ローラ１４押圧スイッチ２８とその左側端部ローラ１４回転スイッチ２７を具え、いずれも同一の回路板２１上に設置される。前端部ローラ１３と左側端部ローラ１４はそれぞれ軸ホルダ２０上に架設されるが、ただし各一側より多角形軸１９、２９が延伸され、且つ各回転スイッチ１７、２７の軸孔１７０、２７０に挿入されている。また左側端部ローラ１４押圧スイッチ２８は親指で押圧されるスイッチとされ、即ちその水平方向の施力方向に合わせて、特に垂直フレーム２２とガイド保護板２３が設けられ、押圧スイッチ２８が下ケース１１と回路板２１上に固定される。
【００１３】
図３はローラスイッチ動作を示す。そのうち平面図と関係側面図によると、前端部ローラ１３が前向き、後ろ向きの回転と垂直方向の押圧スイッチ１８を具えていることが明らかである。左側端部ローラ１４もまた前（上）回転、後ろ（下）回転及び水平方向の押圧スイッチ２８を有している。また左ボタン押圧スイッチ１５と右ボタン押圧スイッチ１６はローラスイッチの影響を受けない。このような構造設計によりある定点に位置するマウスは、スライドせずに、８個の制御ボタンスイッチの機能を表現し、並びに十分に現実のパーソナルコンピュータ操作の必要に対応し、マウス活動空間の要求、例えば平面空間、障害のない空間及び塵の付着のない清潔な空間等に制限されない。本考案の例は右手操作されるものであるが、左手操作されるものは、左右反転の同じ原理構造が採用され、左右の手の操作構造はいずれも本考案の範囲に属する。
【図面の簡単な説明】
【００１４】
【図１】本考案の部分構造図である。
【図２】本考案の部分部品分解図である。
【図３】本考案のローラスイッチ動作表示図である。
【符号の説明】
【００１５】
１０  マウス                １１  下ケース      １２  信号線
１３  前端部ローラ          １４  左側端部ロー
１５  左ボタン押圧スイッチ  １６  右ボタン押圧スイッチ
１７、２７  回転スイッチ    １７０、２７０  軸孔
１８、２８  押圧スイッチ    １９、２９  多角形軸
２０  軸ホルダ              ２１  回路板
２２  垂直フレーム          ２３  ガイド保護板
【図１】
0003109671.tif 000003
【図２】
0003109671.tif 000004
【図３】
0003109671.tif 000005